(57)【要約】【課題】浴槽底からの栓蓋の突出を抑制して、栓蓋が障害物となる可能性を低くすると共に、水密性の向上を図る。【解決手段】栓蓋１を、栓蓋１周囲縁が浴槽底面Ａ２よりも低くなるように凹設された凹部４に落とし込む。パッキン６を、凹部４底面から下方に向けて先窄み状のパッチン密着面５に密接させる。凹部４底を水平面４１にして加重（水圧や使用者による人為的な圧力）で栓蓋１が傾くことなく支承して、パッキン６に必要以上の潰し力を作用させない。栓蓋１に、支軸２１を上下動可能に支持する支持体２の外周面を摺接する振れ防止体１３を垂設して栓蓋１の振れを防止し、また排水口開閉時共に支持体２の外周面に沿う長さの異物混入防止用カバー２３が、排水に混入する異物が支持体１内に進入することを防止する。【選択図】　　　　　図１
2004124696.tif 000002
【特許請求の範囲】
【請求項１】
遠隔操作式の排水栓装置を用いた浴槽用の排水栓構造であって、排水口閉口状態において、少なくとも栓蓋周囲縁を浴槽底面よりも低くさせてあることを特徴とする浴槽用排水栓構造。
【請求項２】
遠隔操作式の排水栓装置を用いた浴槽用の排水栓構造であって、排水口が、栓蓋周囲縁が排水口閉口状態において浴槽底面よりも低くなるように落とし込まれる凹部と、その凹部底面よりも下方に有って栓蓋径よりも小径とするパッキン密着面とからなり、
前記凹部に栓蓋を落とし込んだ状態でパッキンが前記パッキン密着面に密着するようにしていることを特徴とする浴槽用排水栓構造。
【請求項３】
密着面が凹部底面から下方に向けて先窄み状の傾斜面であることを特徴とする請求項２に記載の浴槽用排水栓構造。
【請求項４】
前記凹部が栓蓋を載承する水平面を底面とすることを特徴とする請求項３記載の浴槽用排水栓構造。
【請求項５】
パッキンが基部から先細り状の本体を一体に連設するとともに、該本体にパッキン密着面に密着する環状凸条を１または２以上複数条突設して形成されていることを特徴とする請求項４に記載の浴槽用排水栓構造。
【請求項６】
本体を、端部上縁から底部にかけての外面を凸状湾曲面とする先細り状とし、当該凸状湾曲面に環状凸条を突設形成していることを特徴とする請求項４記載の浴槽用排水栓構造。
【請求項７】
凹部は、栓蓋をその頂部が浴槽底面と面一、または、それ以下となるように落とし込める深さであることを特徴とする請求項４に記載の浴槽用排水栓構造。
【請求項８】
栓蓋を、排水栓装置の支軸に対して着脱可能に取着していることを特徴とする請求項１または７記載の浴槽用排水栓構造。
【請求項９】
栓蓋と当該栓蓋を支持する排水栓装置の支軸との係脱構造が、栓蓋に設けられた嵌合筒体に軸方向のスリットを設けて周方向数箇所に形成した弾性片の内側に凸部を突設する一方、支軸に凸部が適合状に嵌合する嵌合溝を設けて、
支軸を嵌合筒体に挿し込む行為により、支軸が前記凸部に接触して弾性片を拡開するとともに、凸部が嵌合溝に位置したときに弾性片が弾性により拡開状態から復帰することで凸部が嵌合溝に嵌合して、通常の使用状態では栓蓋が支軸から外れないように連結され、
栓蓋を支軸から引き抜く行為により、弾性片が拡開して凸部を嵌合溝から脱出させて栓蓋を取り外す構造であることを特徴とする請求項１または７記載の浴槽用排水栓構造。
【請求項１０】
栓蓋に、支軸を上下動可能に支持する支持体の外周面に外周面を摺接する振れ防止体を垂設していることを特徴とする請求項９記載の浴槽用排水栓構造。
【請求項１１】
栓蓋に、支軸を上下動可能に支持する支持体の外周面を摺接する異物混入防止用カバーを設け、該異物混入防止用カバーは、下方を開放した筒状部を有し、該筒状部は、排水口開閉時共に支持体の外周面に添う長さを有することを特徴とする請求項９記載の浴槽用排水栓構造。
【発明の詳細な説明】
【０００１】
【発明の属する技術分野】
本発明は、浴槽の排水口を開閉する排水栓構造に関する。
【０００２】
【従来技術】
従来、浴槽用の排水栓構造は、例えば、栓蓋を軸支した支持体が排水口内に保持され、その支持体と離間した位置に配設された操作部がレリースワイヤを介して支持体と連結してなる遠隔操作式の排水栓装置を用いたものが知られている（例えば、特許文献１。）
【０００３】
【特許文献１】
特開平９−６００７３公報（第３頁、図２）
【０００４】
ところで、このような排水栓構造においては、図５に示すように、栓蓋１００の裏面１０１に設けられたパッキン１０２が排水口Ｃのパッキン密着面１０３に密着することによって水密を保持するものであることから、栓蓋１００が浴槽底面１０４から大きく突出しており、入浴時における障害物となる可能性がある。そこで、図示するように、パッキン密着面１０３を排水口Ｃの上面から一段下げて少しでも栓蓋１００の高さを低くしようとしているものの、排水口を構成し支持体を保持する排水金具の肉厚や排水口径の確保等の理由により、現実的にはパッキン１０２の厚み未満の高さ分下げられる程度であり、実効性としてはきわめて低いものである。
しかも、水密性の確保が最優先となるため、パッキン１０２がパッキン密着面１０３に密着した状態において、栓蓋裏面１０１と排水口Ｃの上面との間に隙間が生じるようにし、この隙間で水密性を保持するために必要なパッキン１０２の潰れ量を確保するようにすると、逆にこの隙間が栓蓋１００の突出量を増やしてしまう要因となる上に、この隙間により栓蓋１００がどうしても段差になってしまう。
【０００５】
【発明が解決しようとする課題】
そこで、本発明は、浴槽底からの栓蓋の突出を抑制して、栓蓋が障害物となる可能性を低くすることを課題とし、その課題を解決した排水栓構造の提供を目的とする。
さらに本発明は、前記課題に加えて水密性の向上を課題とし、その課題を解決した排水栓構造の提供を目的とする。
【０００６】
【課題を解決するための手段】
上記した目的を達成するために本発明は下記の技術的手段を採用した。
その技術的手段は、遠隔操作式の排水栓装置を用いた浴槽用の排水栓構造であって、排水口閉口状態において、少なくとも栓蓋周囲縁を浴槽底面よりも低くさせてあることを特徴とする浴槽用排水栓構造にしたことである（請求項１）。
これによって、栓蓋の少なくとも周囲縁は肌に接触不能に排水口に落とし込まれるし、落とし込み量によっては、栓蓋頂点を浴槽底面と面一またはそれ以下に位置させることが可能となる。その場合には、障害物にならず、安全且つ快適な入浴を約束する。
【０００７】
【発明の実施の形態】
請求項１の具体的な構造として、例えば、遠隔操作式の排水栓装置を用いた浴槽用の排水栓構造であって、排水口が、栓蓋周囲縁が排水口閉口状態において浴槽底面よりも低くなるように落とし込まれる凹部と、その凹部底面よりも下方に有って栓蓋径よりも小径とするパッキン密着面とからなり、前記凹部に栓蓋を落とし込んだ状態でパッキンが前記パッキン密着面に密着するようにしていることを特徴とする浴槽用排水栓構造が挙げられる（請求項２）。
請求項２によれば、栓蓋が、栓蓋周囲縁が浴槽底面よりも低くなるように凹設された凹部に落とし込まれ、パッキンはその凹部底面よりも下位のパッキン密着面に密着する。
そのため、栓蓋は凹部に落とし込まれながら、水密性を保持するために必要なパッキンの潰れ量は栓蓋の凹部への落とし込みの弊害にならない。
【０００８】
前記パッキン密着面は、前記した作用を有する構成のすべてを包含するが、好適には、凹部底面から下方に向けて先窄み状の傾斜面とする構成である（請求項３）。
請求項３では、パッキンが傾斜面によってつぶれ変形しながらパッキン密着面に密着するため、パッキンに作用するパッキン密着面への押し付け力にパッキン自身の変形からの復帰力が加わって密着力が増強される。
【０００９】
また、前記凹部は栓蓋を載承する水平面を底面とするのが最良である（請求項４）。
請求項４では、加重（水圧や使用者による人為的な圧力）で栓蓋が傾くことなく水平面に支承されて、パッキンに必要以上の潰し力を作用させない。
【００１０】
密着性については、パッキンを、基部から先細り状の本体を一体に連設するとともに、該本体にパッキン密着面に密着する環状凸条を１条または２条以上複数条突設して形成し（請求項５）、環状凸条がパッキン密着面に線接触状に密着する構成とすることによって、より高い密着性を実現する上で効果的である。
この場合、本体を、端部上縁から底部にかけて外面を凸状湾曲面とする先細り状とし、当該凸状湾曲面に環状凸条を突設形成する（請求項６）ことが好ましい。
【００１１】
そして、凹部を、栓蓋をその頂部が浴槽底面と面一、または、それ以下となるように落とし込める深さとする（請求項７）ことによって、浴槽底部において栓蓋が突出することなく装着される。
しかも、栓蓋を、排水栓装置の支軸に対して着脱可能に取着する（請求項８）ことによって、栓蓋をワンタッチで外すことが可能となって補修管理上好都合である
【００１２】
栓蓋と当該栓蓋を支持する排水栓装置の支軸との係脱構造の具体例としては、栓蓋に設けられた嵌合筒体に軸方向のスリットを設けて周方向数箇所に形成した弾性片の内側に凸部を突設する一方、支軸に凸部が適合状に嵌合する嵌合溝を設けて、支軸を嵌合筒体に挿し込む行為により、支軸が前記凸部に接触して弾性片を拡開するとともに、凸部が嵌合溝に位置したときに弾性片が弾性により拡開状態から復帰することで凸部が嵌合溝に嵌合して、通常の使用状態では栓蓋が支軸から外れないように連結され、栓蓋を支軸から引き抜く行為により、弾性片が拡開して凸部を嵌合溝から脱出させて栓蓋を取り外す構造（請求項９）が挙げられる。
【００１３】
また、栓蓋に、支軸を上下動可能に支持する支持体の外周面を摺接する振れ防止体を垂設しておくと、栓蓋の振れ、傾きを防止し（請求項１０）、更に、栓蓋に、支軸を上下動可能に支持する支持体の外周面を摺接する異物混入防止用カバーを設け、該異物混入防止用カバーは、下方を開放した筒状部を有し、該筒状部は、排水口開閉時共に支持体の外周面に添う長さを有すると、排水口開口時においても支持体内に異物が進入するのを防止する（請求項１１）。
【００１４】
【実施例】
以下、本発明の実施例を図面に基づいて説明する。
尚、本発明に用いられる排水栓装置は、基本的には公知の構造であるので操作部の図示及び説明は省略する。
ちなみに、排水栓装置は、栓蓋１を備えて排水口Ｂに配設された支持体２と、例えば浴槽Ａの上縁（図示せず）に配設された操作部（図示せず）とを、浴槽Ａの裏側からレリースワイヤ３で連結した構成のものであり、操作部の操作レリースワイヤ３を介して支持体２に伝達し、支持体２又は操作部（図示せず）に内蔵してあるスラストロック機構（図示せず）を作動させて、支持体２に上下動可能に設けられている支軸２１を上下動させて、その支軸２１に支持されている栓蓋１を開閉動させて、排水口Ｂを開閉する周知の態様のものである。
支持体２は、排水口Ｂを構成する排水金具Ａ１内にある保持手段Ａ３により排水金具Ａ１内に抜差し可能に保持されているが、支持体２の保持に関しては、例示する構造に限定するものではない。
保持手段Ａ３の構成については、本出願人が特願平９−２７９９２５号で既に提案済みであるので具体的な説明を省略する。
ちなみに、保持手段Ａ３は、支持体２の外側に、支持体２の外周面から放射状に設けたリブＡ３１を介して、排水金具Ａ１に着脱可能に取り付けられる保持リングＡ３２を一体に設けるとともに、保持リングＡ３２と排水金具Ａ１とに亘って嵌合手段Ａ３３を設けて、支持体２を排水金具内Ａ１に抜き差し可能に保持するようにしたものである。
【００１５】
次に、本発明の排水栓構造を具体的に説明する。
排水口Ｂは、上面に栓蓋１の周囲縁１１が埋没する深さの凹部４と、凹部４底である水平面４１から下方に向けて先窄まり状の傾斜面とするパッキン密着面５とから構成してある。
凹部４底である水平面４１とパッキン密着面５は、浴槽底面Ａ２よりも下位に位置しており、これによって、栓蓋の開閉状態において、栓蓋１の周囲縁１１及び後記するパッキン６が浴槽底面Ａ２よりも下位に位置するようにしている。
栓蓋１の下方には前記パッキン密着面５に密着して水密を保持する前記パッキン６を配設してある。
【００１６】
パッキン６は、栓蓋１の裏面１２から離間させて配設され、これによる隙間がパッキン６の変形空間となっていて、栓蓋１が閉じられた状態において、パッキン密着面５の傾斜によって上方にめくり上げられるように変形し、その変形からの復帰力も密着力として作用する。
パッキン６は、本体６１を基部から先細り状とするとともに、端部上縁から底部にかけての外面を凸状湾曲面としてある。
また、パッキン６の裏面には、パッキン６と同芯とする環状凸条６２が２本突設されており、この環状凸条６２がパッキン密着面５に線接触状に密着することで水密を保持している。
【００１７】
栓蓋１と支持体２の支軸２１の連結構造は、栓蓋１の裏面１２に一体に突設した嵌合筒体７が支軸２１に着脱可能に嵌合される。
具体的には、嵌合筒体７に軸方向のスリット７１を多数設けて周方向数箇所に弾性片８が形成され、その弾性片８の先端内側に凸部８１を突設する一方、支軸２１に凸部８１が適合状に嵌合する嵌合溝９を設けて構成してある。
【００１８】
このようにした連結構造では、栓蓋１を支軸２１に取付ける場合には、嵌合筒体７を支軸２１の先端に押し付けそのまま押し込むと、支軸２１が前記凸部８１に接触して弾性片８を拡開するとともに、凸部８１が嵌合溝９に位置したときに弾性片８が弾性により拡開状態から復帰することで凸部８１が嵌合溝９に嵌合して、栓蓋１が取り付けられる。
栓蓋１が取り付けられた状態では、支軸２１の先端が嵌合筒体７に差し込まれているとともに、弾性片８の凸部８１が嵌合溝９に嵌合しており、栓蓋１の通常の開閉動作では弾性片８の弾性力によって連結状態が保持される。
栓蓋１を取り外す場合には、栓蓋１を支軸２１から引き抜くと、凸部８１に嵌合溝９から脱出する力が作用して弾性片８が拡開して凸部８１を嵌合溝９から脱出させることによって栓蓋１が取り外される。
つまり、栓蓋１の閉状態では、支軸２１に作用するスラストロック機構の引っ張り力をパッキン６のパッキン密着面５に対する押し付け力として作用させることができるとともに、栓蓋１を支軸２１から引き抜けば修理やメンテナンスを容易に行うことができるようにしている。
【００１９】
栓蓋１の裏面には、支持体２の外周面に摺動する振れ防止体１３を垂設してある。
振れ防止体１３は、支持体２に嵌合して摺動する内径の筒状部１３１を有し、その筒状部１３１の下端には、支軸２１の上下動時において前記リブＡ３１を避けるための、軸方向の切込み１４が、リブＡ３１の枚数分形成してある。（図４参照）
このようにした振れ防止体１３は、支軸２１による栓蓋１の上下動に伴って、支持体２に案内されるように上下動する。
その筒状部１３１の長さを栓蓋１が支軸２１で上昇された状態（排水口開口状態）であっても、支持体２の外周面に添う長さに設定することによって、支軸２１の振れや傾きを防止している。
また、この振れ防止体１３は、排水に混入する異物が支持体２に開孔されている支軸ガイド孔（図示せず）から支持体２内に入り込むのを防止する異物混入防止用カバー２３としても機能する。
【００２０】
尚、前記では、振れ防止体１３が異物混入防止用カバー２３を兼務する旨で説明しているが、振れ防止のみを達成するためには栓蓋１から支持体２の外周面に沿うガイド脚（図示せず）を周方向に間隔をおいて垂設し、その複数のガイド脚で振れ防止体を構成すること自由なものである。
【００２１】
前記した実施例では、栓蓋の周囲縁が凹部に埋没した形態で例示したが、この形態以外にも、凹部の深さを栓蓋の頂点が浴槽底面と面一となる深さとして、栓蓋全体を凹部に埋没させる形態（図示せず）や、図３に示すように、栓蓋１の高さを低くするとともに、栓蓋１の上面をフラット、または、緩やかな円弧（図示せず）にして、栓蓋１全体を埋没させることによって、浴槽底面Ａ２をフラットまたは略フラットとする形態も挙げられる。
なお、図３の構造は、栓蓋以外は図１に示す構造と同様であるため、同一符号を付して説明は省略する。
【００２２】
【発明の効果】
本発明は以上説明したとおり、下記の優れた効果を有する。
請求項１の発明では、栓蓋を排水口閉口状態において排水口に落とし込む構成にしているから、栓蓋の周囲縁が露呈してその周囲縁に手指が引っ掛かったり、栓蓋の落とし込み量によって栓蓋を浴槽底面から突出させないようにすることも可能であり、障害物による違和感のない快適な入浴を楽しめる。
【００２３】
また、請求項２の発明では、さらに、パッキン自身の変形からの復帰力が、パッキンに作用するパッキン密着面への押し付け力に加わる。
したがって、パッキンのパッキン密着面への密着力が増強され、優れた止水性が発揮される。
その上、栓蓋周囲縁が浴槽底面よりも低くなるように凹設された凹部に落とし込まれ、パッキンはその凹部底面よりも下位のパッキン密着面に密着することによって、栓蓋にかかる加重（水圧や使用者による人為的な圧力）を、栓蓋とパッキンとで分散して受けることができる。
したがって、栓蓋やパッキンの一方に負荷を集中することが回避できるので、栓蓋及びパッキンの耐久性向上に大きく貢献する。
【００２４】
しかも、請求項３では、パッキンが傾斜面によってつぶれ変形しながらパッキン密着面に密着するため、パッキンに作用するパッキン密着面への押し付け力にパッキン自身の変形からの復帰力が加わって密着力が増強され、より確実な止水を実現できる。
【００２５】
その上、請求項４では、加重（水圧や使用者による人為的な圧力）で栓蓋が水平面に支承されて、パッキンに必要以上の潰し力を作用させないので、栓蓋が傾いて排水口を閉口することもなければ、パッキンに無理が負荷を掛けることも無くなり、止水を確実にすると共に、パッキンの耐久性を阻害する虞れもない。
【００２６】
さらに、請求項５および請求項６では、パッキンの環状凸条がパッキン密着面に対して線接触状に密着させるので、さらなる水密性の向上に極めて大きく貢献する。
【００２７】
そして、請求項７では、凹部が栓蓋をその頂部が浴槽底面と面一、または、それ以下となるように落とし込める深さであるので、栓蓋を浴槽底部において突出させることなく装着することができる。
【００２８】
また、請求項８および請求項９では、支軸の引っ張り力をパッキンのパッキン密着面に対する押し付け力として作用させることができるので、より優れた止水性を達成できるし、栓蓋を支軸から人為的に引き抜けば修理やメンテナンスを容易に行うこともできる。
【００２９】
また、請求項１０にあっては、栓蓋に、支軸を上下動可能に支持する支持体の外周面を摺接する振れ防止体を垂設しているので、栓蓋の振れや傾きを防止して開閉を確実に案内して、振れや傾きで栓蓋が斜めに排水口を閉口して、止水が不完全になったりすることがなく、所定の止水性を耐用期まで安定的に持続する。更に、請求項１１にあっては、栓蓋に、支軸を上下動可能に支持する支持体の外周面を摺接する異物混入防止用カバーを設け、該異物混入防止用カバーは、下方を開放した筒状部を有し、該筒状部は、排水口開閉時共に支持体の外周面に添う長さを有するので、排水に混入する異物が支持体内に進入することが無くなり、故障や作動不良を起こす虞れもない（請求項１１）。
【図面の簡単な説明】
【図１】本発明にかかる排水栓構造の断面図。
【図２】排水口開口状態の断面図。
【図３】栓蓋の断面図。
【図４】他の実施例を示す断面図。
【図５】従来の排水栓構造の断面図。
【符号の説明】
Ａ：浴槽　　　　　　　　　　　　　　　　　Ａ２：浴槽底面
Ｂ：排水口　　　　　　　　　　　　　　　　　１：栓蓋
１１：周囲縁　　　　　　　　　　　　　　　　１３：振れ防止体
２：支持体　　　　　　　　　　　　　　　　２１：支軸
４：凹部　　　　　　　　　　　　　　　　　　５：パッキン密着面
６：パッキン　　　　　　　　　　　　　　　６２：環状凸条
７：嵌合筒体　　　　　　　　　　　　　　　７１：スリット
８：弾性片　　　　　　　　　　　　　　　　８１：凸部
９：嵌合溝　　　　　　　　　　　　　　　１３１：筒状部
２３：異物混入防止用カバー　　　　　　　　　４１：水平面（凹部底面）
【図１】
2004124696.tif 000003
【図２】
2004124696.tif 000004
【図３】
2004124696.tif 000005
【図４】
2004124696.tif 000006
【図５】
2004124696.tif 000007
【手続補正書】
【提出日】平成15年7月4日(2003.7.4)
【手続補正１】
【補正対象書類名】明細書
【補正対象項目名】００２０
【補正方法】変更
【補正の内容】
【００２０】
尚、前記では、振れ防止体１３が異物混入防止用カバー２３を兼務する旨で説明しているが、振れ防止のみを達成するためには栓蓋１から支持体２の外周面に沿うガイド脚（図示せず）を周方向に間隔をおいて垂設し、その複数のガイド脚で振れ防止体を構成することも自由なものである。


【手続補正２】
【補正対象書類名】明細書
【補正対象項目名】００２５
【補正方法】変更
【補正の内容】
【００２５】
その上、請求項４では、加重（水圧や使用者による人為的な圧力）で栓蓋が水平面に支承されて、パッキンに必要以上の潰し力を作用させないので、栓蓋が傾いて排水口を閉口することもなければ、パッキンに無理な負荷を掛けることも無くなり、止水を確実にすると共に、パッキンの耐久性を阻害する虞れもない。